(57)【要約】【課題】  プラズマディスプレイパネル用駆動装置及びその信号処理方法並びにその映像表示装置を提供する。【解決手段】   入力される映像データに対応する映像がプラズマディスプレイパネルに表示するにあたって、プラズマディスプレイパネルに表示される映像の形態による負荷効果(load effect)を補償することにより、映像の形態を関係なく均一な画質を示せる。また、全体負荷だけではなく負荷の水平成分と垂直成分の比率も共に反映してサブフィールドマッピングデータのサステイン個数を補償する。【選択図】図７
2006268046.tif 000002
【特許請求の範囲】
【請求項１】
所定のサステイン個数を有するサブフィールドマッピングデータの全体負荷に基づきサステイン補償係数を計算する段階と、 
前記負荷の水平成分と垂直成分の比率により、前記計算されたサステイン補償係数を増減する段階と、
前記増減されたサステイン補償係数を前記サステイン個数に足すことによって前記サブフィールドマッピングデータを補償する段階とを含んでなされることを特徴とするプラズマディスプレイパネルの信号処理方法。
【請求項２】
前記計算されたサステイン補償係数を増減する段階は、前記負荷の(水平成分負荷÷垂直成分負荷)に比例して、前記全体負荷に基づき計算したサステイン補償係数を増減することを特徴とする請求項１に記載のプラズマディスプレイパネルの信号処理方法。
【請求項３】
前記垂直成分負荷が、プラズマディスプレイパネルのラインのうちオンされたセルが１０％以上になるラインの数(Ｎline-on)の時、前記水平成分負荷は次の数式により求めることを特徴とする請求項１に記載のプラズマディスプレイパネルの信号処理方法。  
2006268046.tif 000006
ここで、Ｈは水平成分の負荷、Ｎtot-onは各サブフィールドでオンされたセルの数を示し、Ｎline-onはラインのうちオンされたセルが所定％以上になるラインの数。 
【請求項４】
前記所定％は１０％以上であることを特徴とする請求項３に記載のプラズマディスプレイパネルの信号処理方法。
【請求項５】
入力される映像データに対応して、所定のサステイン個数を有するサブフィールドマッピングデータを生成するサブフィールドマッピング部と、
前記サブフィールドマッピングデータの全体負荷に基づき計算したサステイン補償係数を前記サステイン個数に足すことによって前記サブフィールドマッピングデータを補償し、前記負荷の水平成分と垂直成分の比率により、前記計算されたサステイン補償係数を増減する信号処理部と、
前記補償されたサブフィールドマッピングデータのサステイン個数に基づき、所定のタイミング制御信号を生成するタイミング制御部と、
前記タイミング制御部のタイミング制御信号に基づき、プラズマディスプレイパネルを駆動する駆動部とを含んでなされるプラズマディスプレイパネル駆動装置。
【請求項６】
前記信号処理部は、
前記負荷の(水平成分負荷÷垂直成分負荷)に比例して、前記全体負荷に基づき計算したサステイン補償係数を増減することを特徴とする請求項５に記載のプラズマディスプレイパネル駆動装置。
【請求項７】
前記信号処理部は、 
前記垂直成分負荷が、プラズマディスプレイパネルのラインのうちオンされたセルが１０％以上になるラインの数(Ｎline-on)の場合、次の数式により前記水平成分負荷を求めることを特徴とする請求項５に記載のプラズマディスプレイパネル駆動装置。
2006268046.tif 000007
ここで、Ｈは水平成分の負荷、Ｎtot-onは各サブフィールドでオンされたセルの数を示し、Ｎline-onはラインのうちオンされたセルが所定％以上になるラインの数。 
【請求項８】
前記所定％は１０％であることを特徴とする請求項７に記載のプラズマディスプレイパネル駆動装置。
【請求項９】
前記信号処理部は、
前記垂直成分の負荷を測定して前記負荷補償部に出力する垂直成分測定部と、
前記水平成分の負荷を測定して前記負荷補償部に出力する水平成分測定部とを含むことを特徴とする請求項５に記載のプラズマディスプレイパネル駆動装置。
【請求項１０】
前記サブフィールドマッピング部、信号処理部及びタイミング制御部は一つのチップで形成されることを特徴とする請求項５に記載のプラズマディスプレイパネル駆動装置。
【請求項１１】
請求項５のプラズマディスプレイパネル駆動装置を備え、入力される映像データに対応する映像を前記プラズマディスプレイに表示する映像表示装置。
【請求項１２】
画像情報を表現する１フレームに所定のサステインパルスの個数を有するサブフィールドをマッピングする段階と、
画像データに全体負荷のうち水平成分と垂直成分の比率によって、前記所定のサステインパルスの個数を増減するプラズマディスプレイパネルの駆動方法。
【請求項１３】
前記所定のサステインパルス個数の増減は、
前記負荷の(水平成分負荷÷垂直成分負荷)に比例して、前記所定のサステインパルスの個数を増加または減少させる請求項１２に記載のプラズマディスプレイパネルの駆動方法。
【請求項１４】
前記垂直成分負荷がプラズマディスプレイパネルのラインのうちオンされたセルが１０％以上になるラインの数（(Ｎline-on)の場合、前記水平成分負荷は次の数式により求めることを特徴とする請求項１２に記載のプラズマディスプレイパネルの駆動方法。
2006268046.tif 000008
ここで、Ｈは水平成分の負荷、Ｎtot-on は各サブフィールドでオンされたセルの数を示し、Ｎline-onはプラズマディスプレイパネルのラインのうちオンされたセルが所定％以上になるラインの数。
【請求項１５】
前記所定％は１０％であることを特徴とする請求項１４に記載のプラズマディスプレイパネル駆動方法。
【発明の詳細な説明】
【技術分野】
【０００１】
本発明はプラズマディスプレイパネル用駆動装置、その信号処理方法並びにその映像表示装置に係り、特に各フレームの全体負荷(Load)だけではなく垂直成分と水平成分の比率も共に考慮することによって、負荷効果(Load Effect)を補償して各映像の形態と関係なく均一な画質を示せるようにする、プラズマディスプレイパネル用駆動装置、その信号処理方法並びにその映像表示装置に関する。
【背景技術】
【０００２】
プラズマディスプレイパネル(ＰＤＰ: Plasma Display Panel)は複数個の放電セルをマトリックス状に配列してこれを選択的に発光させることによって電気信号に入力された画像データを復元させるディスプレイ素子の一種類である。
【０００３】
図１は従来のプラズマディスプレイパネル駆動装置のブロック図であり、図２は逆ガンマ補正を説明するためのグラフであり、図３はプラズマディスプレイパネルのための１フレーム区間を示した図である。
【０００４】
以下、図１ないし図３を参照して従来のプラズマディスプレイパネル駆動装置を説明する。
【０００５】
逆ガンマ(reverse gamma)補正部１０１は入力される画像データの輝度を補正する役割を果たす。すなわち、ＣＲＴ(Cathod Ray Tube)型ディスプレイ装置が非線形の輝度特性を有する一方、プラズマディスプレイパネルは線形の輝度特性を有するので、低階調領域で階調を表現する時ノイズを発生させる。従って、逆ガンマ補正部１０１はこのようなノイズ発生の問題を解決するために映像データを逆ガンマ補正する。
【０００６】
図２を参照すれば、‘目標輝度'は補正しようとする理想的な結果を示したものであり、'実際輝度'は逆ガンマ補正された輝度値であり、‘ＰＤＰ輝度'は逆ガンマ補正を行なわない場合の輝度値を示したものである。ＰＤＰ輝度はプラズマディスプレイパネルの線形の輝度特性が反映されたものである。プラズマディスプレイパネルは、ＰＤＰ輝度を逆ガンマ補正することによって、目標輝度に近い実際輝度特性を示す。目標輝度は０〜６０まで６１段階の階調値に対してそれぞれ異なる輝度値を有する。しかし、実際輝度は０〜６０まで６１段階の階調値に対応してただ８種の輝度値だけを有する。また、実際輝度値は低い階度で殆んど変化がない。従って、プラズマディスプレイパネルが暗い領域を表現する場合、十分な階調が表現されない。これにより、画質上の欠点である疑似輪廓(Contuor Noise)が発生する場合がある。 
【０００７】
逆ガンマ補正部１０１で逆ガンマ補正された映像データは利得調整部１０３で所定のゲインを有するように調整される。
【０００８】
ハーフトーン(Halftone)補正部１０５は、プラズマディスプレイパネルで少数の実階調(Real gray scale)を通じて多数の階調を表現するための各種の処理を行なう。すなわち、ハーフトーン補正部１０５は、プラズマディスプレイパネルの足りない階調を向上させるために、利得調整部１０３から入力される映像データに対してディザリング(Dithering)や誤差拡散(Error Diffusion)などのハーフトーン補正を行なう。
【０００９】
誤差拡散方法は、該当ピクセルが量子化される時発生する誤差を隣り合うピクセルに影響を与えさせることによって、無視される誤差に対する補正を空間的に解決しようとする方法である。このような誤差拡散方法は、隣り合うピクセルに対する誤差拡散係数が一定に設定されライン毎に、それからフレーム毎に反復されることによって、一定した誤差拡散係数によって均一な階調で誤差拡散文様が発生する問題点がある。
【００１０】
ディザリング方法は、各ピクセルの階調値をディザマスクの特定スレショルド
(threshold)値と比較してキャリー(carry)が発生するか否かを判別する方法である。キャリーが発生したピクセルに対してオン(on)を、そうでないピクセルに対してオフ(off)させることにより足りない階調表現力を高める。
【００１１】
このような誤差拡散とディザリングは混用するのが望ましい。
【００１２】
サブフィールドマッピング部１０７はハーフトーン補正部１０５を通してハーフトーン補正された映像データをサブフィールドマッピング(ＳＦＭ:Sub Field Mapping)データに変換する。プラズマディスプレイパネルは、画像の階調を具現するため、１フレームを発光回数が異なる多数個のサブフィールドに分けて時分割制御している。ここで、入力される映像データは複数個に分けられたサブフィールドのためのフィールドメモリ(図示せず)にマッピングされる。この際、各フィールドメモリにマッピングされた映像データをサブフィールドマッピングデータと称する。
【００１３】
図３を参照すれば、１フレームは多数個のサブフィールド(ＳＦ１〜ＳＦ８)に分けられている。また、各サブフィールド(ＳＦ１〜ＳＦ８)は放電セルを選択するためのアドレス区間(ａ)及び放電回数によって階調を具現するサステイン区間(ｂ)に分けられる。この場合、現在ディスプレイするフレームに対して、画面上のいずれのセル(cell)から光が発光されるようにするのかはアドレス区間(ａ)で定まり、所望の明るさによるサステイン個数はサステイン区間(ｂ)を通じて調節される。
【００１４】
再び、図１の構成要素を説明する。サブフィールドマッピング部１０７から出力されるサブフィールドマッピングデータはデータ整列部１０９と負荷補償部１１３にそれぞれ入力される。 
【００１５】
データ整列部１０９は各サブフィールド別データを整列してプラズマディスプレイパネルを駆動するドライビングパート(Driving Part)１１５に伝達する。 
【００１６】
負荷補償部１１１はサブフィールドマッピングデータに基づき、現在フレームの全体負荷(load)を計算して補償されるべきサステイン補償係数を決定し、サステイン補償係数に関する情報をタイミング制御部１１３に伝達する。タイミング制御部１１３はサステイン補償係数に基づきサステイン区間(ｂ)の長さを調節する。
【００１７】
ここで、負荷とは、プラズマディスプレイパネルの全画面を構成する全体セルのうち光を発光させるために選択されたセルの比率を指す。発光されるように選択されたセルの数が多いほど負荷は増加する。プラズマディスプレイパネルの明るさはサステイン個数に調節されるが、サステイン個数が同一な場合であっても負荷によりその明るさが違ってくる。
【００１８】
タイミング制御部１１３はドライビングパート１１５の各ドライバに対する駆動タイミングを制御するためのタイミング制御信号を生成する。すなわち、タイミング制御部１１３はプラズマディスプレイパネルを駆動するための波形が生成できるように多様なスイッチング制御信号を生成してドライビングパート１１５に供給する。 
【００１９】
ドライビングパート１１５は、アドレス駆動部、スキャン駆動部、及びサステイン駆動部を含む所定のドライバを含み、タイミング制御部１１５から入力されるタイミング制御信号及びデータ整列部１０９のサブフィールドデータを用いてプラズマディスプレイパネルを駆動する。 
【００２０】
図４は負荷によるプラズマディスプレイパネルの明るさ変化を示したグラフであって、所定のサステインの個数に対して示したものである。実線で表示された部分が負荷に対する明るさを示し、点線は該当負荷における明るさ目標値になる。 
【００２１】
図４を参照すれば、サステイン個数が同一であるにもかかわらず、負荷が大きくなるほど明るさが減少する現象が発生することが見られる。このような現象を負荷効果(Load Effect)と称する。すなわち、プラズマディスプレイパネルは、負荷を問わず同一なサステイン個数については常に明るさＢが現れるべきである。負荷効果により、負荷がＬ１の場合はＥ１ほどの輝度損失が発生し、負荷がＬ２の場合はＥ２ほどの輝度損失が発生する。
【００２２】
結局、負荷が大きいほど同一な明るさを出すためにはさらに多くの電力を必要とする。
【００２３】
プラズマディスプレイパネルを動作させる時、特定サブフィールドにおける所望の明るさレベルは、その明るさレベルに相応するサステイン個数を定義して示す。しかし、図４のグラフのように、現在定義したサステイン個数による明るさは負荷により変り、これは階調の歪みとして現れる。 
【００２４】
図５は負荷効果による画質劣化の例を示した図である。入力階調値が３２の領域(ｃ)は入力階調値が３１の領域(ｄ)より輝度がさらに高くなるべきである。しかし、放電面積により階調値が３２の領域(ｃ)の輝度が減少しつつ入力階調値が３１の領域(ｄ)より輝度が劣る劣化現象が発生する。すなわち、負荷が大きければ放電電流が大きくなり、放電電流が大きくなるとパネル及び回路に寄生する抵抗成分により電圧降下が発生して、結局輝度が逆転する現象が発生する。このような減少によって階調が歪んだりスムーズでない映像がディスプレイされる画質劣化の原因となっている。 
【００２５】
このような問題点を解決するために特定サステイン個数における基準明るさを決めておき負荷によりサステイン個数を増やしたり減すことによって、画面の明るさを全ての負荷にかけて一定に維持させる技術が使われている。図４において、このような補償方法は、負荷がＬ１の時発生するＥ１ほどの明るさ損失を補償するため、損失に対応するサステイン個数を増やし、負荷がＬ２の時はＥ２ほどの明るさ損失に対応するサステイン個数を増やす。
【００２６】
しかし、このような従来の方式では負荷を単に全画面でオンされる程度でだけ計算するので、負荷による輝度差を正確に補償できない問題点がある。 
【００２７】
図６は水平/垂直成分により相違に発生する画質劣化の例を示した図である。図６を参照すれば、画面(１)、(２)及び(３)はそれぞれ階調値３２を有する一定領域(ｅ、ｆ、ｇ)を表示している。画面(２)と(３)の一定領域(ｆ、ｇ)は互いに同一な面積を有するが、実際輝度は画面(２)が低く現れる。すなわち、負荷効果による輝度変化を測定してみると、同じ面積であっても横方向に広く放電される場合が縦方向に放電される場合より輝度減少分がさらに激しく現れる。それは、放電が横方向に行われるからである。 
【００２８】
従って、従来の方式により全体負荷の観点からだけ補償する補償回路は、画質劣化を全く改善することができない。 
【発明の開示】
【発明が解決しようとする課題】
【００２９】
本発明の目的は、プラズマディスプレイパネルのオンされる領域の形態を考慮することにより、プラズマディスプレイパネルの負荷効果を正確に補償できる、プラズマディスプレイパネル用駆動装置及びその信号処理方法を提供するところにある。
【００３０】
本発明の他の目的は、入力される映像データに対応して、プラズマディスプレイパネルで発生する恐れのある負荷効果が補償された映像を表示できる映像表示装置を提供するところにある。
【課題を解決するための手段】
【００３１】
前述したような目的を達成するための本発明に係るプラズマディスプレイパネルの信号処理方法は、所定のサステイン個数を有するサブフィールドマッピングデータの全体負荷に基づきサステイン補償係数を計算する段階と、前記負荷の水平成分と垂直成分の比率により、前記計算されたサステイン補償係数を増減する段階、及び前記増減されたサステイン補償係数を前記サステイン個数に足すことによって前記サブフィールドマッピングデータを補償する段階とを含む。
【００３２】
ここで、前記計算されたサステイン補償係数を前記増減する段階は、前記負荷の(水平成分負荷÷垂直成分負荷)に比例して、前記全体負荷に基づき計算したサステイン補償係数を増減することができる。
【００３３】
ひいては、前記水平成分負荷が、プラズマディスプレイパネルのラインのうちオンされたセルが１０％以上になるラインの数(Ｎline-on)の時、前記垂直成分負荷は次の数式により求められる。
2006268046.tif 000003
【００３４】
ここで、Ｈは垂直成分の負荷、Ｎtot-onは各サブフィールドでオンされたセルの数を示し、Ｎline-onはラインのうちオンされたセルが１０％以上になるラインの数である。 
【００３５】
本発明の他の実施形態によるプラズマディスプレイパネル駆動装置は、サブフィールドマッピング部、信号処理部、タイミング制御部及び駆動部を含む。 
【００３６】
サブフィールドマッピング部は入力される映像データに対応して、所定のサステイン個数を有するサブフィールドマッピングデータを生成する。 
【００３７】
信号処理部は、前記サブフィールドマッピングデータの全体負荷に基づき計算したサステイン補償係数を前記サステイン個数に足すことによって前記サブフィールドマッピングデータを補償し、前記負荷の水平成分と垂直成分の比率により、前記計算されたサステイン補償係数を増減する。
【００３８】
タイミング制御部は、前記補償されたサブフィールドマッピングデータのサステイン個数に基づき所定のタイミング制御信号を生成し、駆動部は前記タイミング制御部のタイミング制御信号に基づきプラズマディスプレイパネルを駆動する。
【００３９】
ここで、前記信号処理部は、前記垂直成分の負荷を測定して前記負荷補償部に出力する垂直成分測定部、及び前記水平成分の負荷を測定して前記負荷補償部に出力する水平成分測定部を含める。
【００４０】
本発明のさらに他の実施形態による映像表示装置は、本発明のプラズマディスプレイ駆動装置を備えて、前記映像データに対応する映像を前記プラズマディスプレイに表示することができる。
【発明の効果】
【００４１】
本発明に係るプラズマディスプレイ駆動装置は、プラズマディスプレイパネルに出力される映像の形態と関係なく同一階調値については同一な輝度が現れる。
【００４２】
そのため、本発明のプラズマディスプレイ駆動装置は、全体負荷だけではなく水平成分と垂直成分の比率も共に反映してサステイン個数を補償するので、プラズマディスプレイパネルの一般的な現象である負荷効果による画質劣化をさらに効率よく改善し、画質を向上させられる。
【発明を実施するための最良の形態】
【００４３】
以下、添付した図面に基づき本発明に係る一実施形態を詳述する。
【００４４】
まず、図７を参照して、本発明に係るプラズマディスプレイパネル駆動装置を説明する。
【００４５】
本発明の駆動装置７００は逆ガンマ補正部７０１、利得調整部７０３、ハーフトーン補正部７０５、サブフィールドマッピング部７０７、データ整列部７０９、信号処理部７１０、タイミング制御部７２１及び駆動部(Driving Part)７２３を含む。
【００４６】
本発明の駆動装置７００は、所定の映像データを入力され対応する映像をプラズマディスプレイパネルに表示する映像表示装置に含める。 
【００４７】
そのため、本発明の駆動装置７００は入力される映像データを所定の駆動信号に変換して、プラズマディスプレイパネル(図示せず)を駆動する。プラズマディスプレイパネルの輝度はサステイン個数に調節されるが、サステイン個数が同一な場合であっても負荷が大きくなることによってその輝度が減少する。駆動装置７００は、負荷が大きくなることによってその輝度が減少する負荷効果を補償するため、入力される映像データに対して所定の補償を行なう。
【００４８】
図７の逆ガンマ補正部７０１、利得調整部７０３、ハーフトーン補正部７０５、サブフィールドマッピング部７０７、データ整列部７０９、タイミング制御部７２１及び駆動部７２３は図２の逆ガンマ補正部１０１、利得調整部１０３、ハーフトーン補正部１０５、サブフィールドマッピング部１０７、データ整列部１０９、タイミング制御部１１３及びドライビング駆動部１１５に対応し、同様に説明することができる。
【００４９】
入力される映像データは逆ガンマ補正部７０１、利得調整部７０３、ハーフトーン補正部７０５を経てサブフィールドマッピング部７０７でサブフィールドマッピングデータに変換される。 
【００５０】
サブフィールドマッピング部７０７から出力されるサブフィールドマッピングデータはデータ整列部７０９に入力され、データ整列部７０９は各サブフィールド別データを整列して駆動部７２３に伝達する。また、サブフィールドマッピング部７０７から出力されるサブフィールドマッピングデータは信号処理部７１０に入力される。
【００５１】
信号処理部７１０は垂直成分測定部７１１、水平成分測定部７１３、及び負荷補償部７１５を含み、サブフィールドマッピング部７０７から入力されるサブフィールドマッピングデータに対して所定の負荷効果を補償する。
【００５２】
垂直成分測定部７１１はサブフィールドマッピング部７０７が出力するサブフィールドマッピングデータに対する垂直成分の負荷を測定する。垂直成分測定部７１１は測定した垂直成分の負荷を負荷補償部７１５に出力する。
【００５３】
垂直成分の負荷とは、各サブフィールドにおいてオンされたセル(cell)の垂直方向形成比率である。垂直成分の負荷は次の数式１のように求められる。
【００５４】
【数１】
2006268046.tif 000004
【００５５】
ここで、Ｖは垂直成分負荷であり、Ｎline-onはスキャンラインのうちオンされたセルが１０％以上になるスキャンラインの数を指す。 
【００５６】
水平成分測定部７１３は、サブフィールドマッピング部７０７が出力するサブフィールドマッピングデータに対する水平成分の負荷を測定する。水平成分測定部７１３は測定した水平成分の負荷を負荷補償部７１５に出力する。
【００５７】
水平成分の負荷とは、各サブフィールドでオンされたセル(cell)の水平方向形成比率である。水平成分の負荷は次の数式２のように求められる。
【００５８】
【数２】
2006268046.tif 000005
【００５９】
ここで、Ｈは水平成分の負荷、Ｎtot-onは各サブフィールドでオン(on)されたセルの数を示し、Ｎline-onはスキャンラインのうちオンされたセルが１０％以上になるスキャンラインの数を指す。 
【００６０】
垂直成分負荷及び水平成分負荷はその比率が大事なので、必ず数式１及び２によらなくても、その比率(Ｈ/ＶまたはＶ/Ｈ)的な面において同一な結果を導出する方法で計算することができる。
【００６１】
負荷補償部７１５はサブフィールドマッピングデータに基づき、全体負荷及び負荷の水平成分と垂直成分の比率を考慮したサステイン補償係数を計算し、計算されたサステイン補償係数をサステイン個数に足すことによって負荷効果を補償する。 
【００６２】
負荷補償部７１５は、まずサブフィールドマッピングデータの全体負荷を計算し、計算された全体負荷に対するサステイン補償係数を決定する。 
【００６３】
また、負荷補償部７１５は水平成分測定部７１３で測定された水平成分負荷と垂直成分測定部７１１で測定された垂直成分負荷の比率に基づき、全体負荷に基づき計算したサステイン補償係数を増減する。 
【００６４】
負荷補償部７１５は負荷の水平成分と垂直成分の比に基づき増減されたサステイン補償係数として用いて、補償されたサステイン個数を求める。負荷補償部７１５で最終的に求められたサステイン個数は次の数式３の通りである。 
【００６５】
（数３）
補償されたサステイン個数 ＝ [ａ＊(Ｈ/Ｖ)＊Ｎ_ｓｕｓ]＋補償前サステイン個数
ここで、Ｈは水平成分負荷、Ｖは垂直成分負荷、それから Ｎ_ｓｕｓは全体負荷に基づくサステイン補償係数である。 
【００６６】
また、ａは実験によって求められた係数であって、プラズマディスプレイパネルのセル素子の特性、駆動電源の大きさ及び状態、プラズマディスプレイパネルのセルの数などによって違ってくる。
【００６７】
これを通じて、負荷補償部７１５は画面に表示される映像の形態によって相違に現れる負荷効果にも関わらず、正確な階調が具現されるようにする。
【００６８】
負荷効果は水平成分の負荷が多いほどさらに大きく現れる。従って、負荷補償部７１５は、水平成分負荷が垂直成分負荷より大きければ補償値をさらに大きくし、逆の場合は補償値をさらに小さくすることができる。但し、水平成分負荷と垂直成分負荷の比率によりサステイン補償係数の増減は、水平成分負荷に対する垂直成分負荷の比率に反比例するのが望ましい。 
【００６９】
例えば、全体負荷によるサステイン補償係数がＡとする時、全体負荷のうち水平成分負荷が垂直成分負荷より大きければサステイン補償係数はＡにαを足した値になり、逆の場合のサステイン補償係数はＡからβを引いた値になれる。信号処理部７１０の動作は後述する。
【００７０】
このため、負荷補償部７１５は(垂直成分負荷)/(水平成分負荷)の比に対応する輝度変化値を既に貯蔵しておける。ここで、輝度変化値は、プラズマディスプレイパネルの特性により予め測定されたデータに基づくのが望ましい。  
【００７１】
タイミング制御部７２１は、負荷補償部７１５から入力されたサステイン個数に基づき、駆動部７２３の各ドライバに対する駆動タイミングを制御するためのタイミング制御信号を生成する。 
【００７２】
駆動部７２３はアドレス駆動部、スキャン駆動部、及びサステイン駆動部を含み、タイミング制御部７２１から入力されるタイミング制御信号及びデータ整列部７０９のサブフィールドデータを用いてプラズマディスプレイパネルを駆動する。 
【００７３】
図８はプラズマディスプレイパネルで表示されうる３つの画面を示している。画面(Ａ)は映像全体が階調値３２で表示される場合、画面(Ｂ)は横バー状の映像部分だけ階調値３２で表示される場合、画面(Ｃ)は縦バー状の映像部分だけ階調値３２で表示される場合である。本発明に係るプラズマディスプレイパネルの３つの画面の明るさはその表示される形態にも関わらず同一であることが分かる。
【００７４】
以下、図８及び図９を参照して信号処理部７１０の動作を詳述する。 
【００７５】
負荷補償部７１５は入力される一つのフレームの映像データに対するサブフィールドマッピングデータの全体負荷を測定する(Ｓ９０１)。
【００７６】
垂直成分測定部７１１及び水平成分測定部７１３はサブフィールドマッピング部７０７から入力されるサブフィールドマッピングデータの垂直成分負荷と水平成分負荷をそれぞれ測定し、測定された垂直成分負荷と水平成分負荷をそれぞれ負荷補償部７１５に出力する(Ｓ９０３)。 
【００７７】
ここで、Ｓ９０１段階及びＳ９０３段階は必ず順次的ではなく、実施例によって並列的に測定されたり、垂直成分負荷及び水平成分負荷が全体負荷より先に測定されうる。
【００７８】
負荷補償部７１５は全体負荷に対するサステイン補償係数を決定する。例えば、全体負荷が６０％の場合５０％の負荷を基準にした時一括的に＋１を補償し、４０％の場合は一括的に−１を補償する(Ｓ９０５)。 
【００７９】
負荷補償部７１５は、垂直成分測定部７１１及び水平成分測定部７１３から入力された水平成分負荷と垂直成分負荷の比率に基づき、Ｓ９０５段階で決定されたサステイン補償係数を増減させる。例えば、全体負荷が６０％であることによって、Ｓ９０５段階で＋１を補償してあげたとしても、水平成分負荷に対する垂直成分負荷の比率が１より大きければ＋１より小さい値を補償してくれる(Ｓ９０７)。
【００８０】
負荷補償部７１５で最終的に計算され入力されるサステイン補償係数を用いて、タイミング制御部７２１はサブフィールド上のサステイン区間の長さを調節する。これにより画面に表示される映像の輝度が変わる。 
【００８１】
図８に示したように映像全体が階調値３２を有する場合(Ａ)、横バー状の映像が階調値３２を有する場合(Ｂ)及び縦バー状の映像が階調値３２を有する場合に全て同一な輝度で表示される。すなわち、映像の形態と関係なく同一階調値に対しては同一な輝度が現れる。
【００８２】
本発明は方法、装置(device)及びシステムで具現できる。また、本発明がコンピュータソフトウェアで具現される時は、本発明の構成要素は必要な動作の遂行に必要なコードセグメントに代えられる。プログラムやコードセグメントはマイクロプロセッサにより処理されうる媒体に貯蔵でき、伝送媒体や通信ネットワークを通じてキャリア波形(carrier waves)と結合されたコンピュータデータとして伝送されうる。
【００８３】
マイクロプロセッサにより処理されうる媒体は電子回路、半導体メモリ素子、ＲＯＭ、フラッシュメモリ、ＥＥＰＲＯＭ、フロッピディスク、光学的ディスク、ハードディスク、光ファイバ、無線ネットワーク等のように情報を伝達し貯蔵できるものを含む。また、コンピュータデータは電気的ネットワークチャネル、光ファイバ、電磁気場、無線ネットワークなどを通じて伝送されうるデータを含む。
【００８４】
以上、本発明の極めて望ましい実施形態について示しかつ説明してきたが、本発明は前述した特定の実施例に限らず、特許請求の範囲で請求する本発明の要旨から逸脱しない範囲内で、本発明の属する技術分野における通常の知識を有する者にとって多様に変形・実施が可能である。このような変形実施は本発明の技術的思想や展望から個別的に理解されてはいけない。
【図面の簡単な説明】
【００８５】
【図１】従来のプラズマディスプレイパネル駆動装置のブロック図、
【図２】逆ガンマ補正を説明するためのグラフ、
【図３】プラズマディスプレイパネルのための１フレーム区間を示した図、
【図４】負荷によるプラズマディスプレイパネルの明るさ変化を示したグラフ、
【図５】負荷効果による画質劣化の例を示した図、
【図６】水平/垂直成分により相違に発生する画質劣化の例を示した図、
【図７】本発明に係るプラズマディスプレイパネル駆動装置のブロック図、
【図８】本発明により垂直/水平成分に関係なく補償された画面の例、
【図９】本発明に係る信号処理方法の一実施形態である。
【符号の説明】
【００８６】
７０１: 逆ガンマ補正部                        ７０３: 利得調整部
７０５: ハーフトーン補正部                    ７０７: サブフィールドマッピング部
７０９: データ整列部                          ７１０: 信号処理部
７１１: 垂直成分測定部                        ７１３: 水平成分測定部
７１５: 負荷補償部                            ７２１: タイミング制御部
７２３: 駆動部
【図１】
2006268046.tif 000009
【図２】
2006268046.tif 000010
【図３】
2006268046.tif 000011
【図４】
2006268046.tif 000012
【図５】
2006268046.tif 000013
【図６】
2006268046.tif 000014
【図７】
2006268046.tif 000015
【図８】
2006268046.tif 000016
【図９】
2006268046.tif 000017